(57)【特許請求の範囲】
【請求項１】
全体を覆う透水性カバーと、前記透水性カバーの内部に保持された吸水性高分子を有する吸水体と、前記吸水体に隣接して配置され、前記吸水性高分子にゲル化状態で固定された水を解放させるゲル分解促進剤を内蔵し非透水性被膜で覆われた袋体と、前記袋体の非透水性被膜を破断させて、内部のゲル分解促進剤を前記透水性カバー内の前記吸水体に放出させる袋体破断機構とを備えていることを特徴とする吸水性高分子を用いた水土嚢。
【請求項２】
前記袋体破断機構が、前記非透水性被膜の所定箇所に一端を固定され、他端が前記非透水性カバーに設けられた小孔から外部に引き出されて配置される糸状体を有していることを特徴とする請求項１に記載の吸水性高分子を用いた水土嚢。
【請求項３】
前記ゲル分解促進剤が塩化カルシウム又は塩化マグネシウム等の電解質成分であることを特徴とする請求項１又は２に記載の吸水性高分子を用いた水土嚢。
【請求項４】
前記吸水体が、不織布、織布等の繊維質シートに前記吸水性高分子を担持させ、前記繊維シートを複数積層させて形成されていることを特徴とする請求項１乃至３のいずれか１項に記載の吸水性高分子を用いた水土嚢。
【請求項５】
前記透水性カバーがＰＥＴボトル等を回収して再生された再生樹脂又は生分解性高分子を素材として形成されていることを特徴とする請求項１乃至４のいずれか１項に記載の吸水性高分子を用いた水土嚢。
【請求項６】
前記透水性カバーの周縁部の所定箇所に、紐状体又は固定部材を通すための係合孔が設けられていることを特徴とする請求項１乃至５のいずれか１項に記載の吸水性高分子を用いた水土嚢。
【請求項７】
前記係合孔に、紐状体の端部が縫製や接着又は結着手段により取り付けられていることを特徴とする請求項６に記載の吸水性高分子を用いた水土嚢。
【請求項８】
前記袋体及び前記吸水体の対が前記透水性カバー内に複数互いに所定の間隔を有して配置され、又は前記袋体及び前記吸水体の対が収納された前記透水性カバーが連接部を介して２乃至複数連設されていることを特徴とする請求項１乃至７のいずれか１項に記載の吸水性高分子を用いた水土嚢。
【請求項９】
前記吸水性高分子が、澱粉にアクリル酸塩をグラフト重合させた澱粉系、カルボキシセルロースにアクリル酸塩をグラフト重合させたセルロース系、アクリル酸・ビニルアルコール共重合体、アクリル酸重合体、アクリル酸・アクリルアミド重合体、ポリエチレンオキサイド変性物等の合成系の高分子のいずれか１又はこれらの組み合わせからなることを特徴とする請求項１乃至８のいずれか１項に記載の吸水性高分子を用いた水土嚢。
【発明の詳細な説明】
【０００１】
【発明の属する技術分野】
本発明は台風襲来時や梅雨時の集中豪雨等に伴って発生する水害に対して好適に使用できる吸水性高分子を用いた水土嚢に関する。
【０００２】
【従来の技術】
従来、狭い地域内に時間当たり数１０ミリを越えるような集中豪雨等の発生に伴って、河川や排水溝、貯水池などの水位が急激に上昇して、周囲が冠水したり浸水するような恐れが生じた場合には、その危険個所に土嚢等を積んで水の侵入を阻止することが行われている。
例えば、特公昭３７−１０４６８号公報（以下イ号公報という）には、防水性の布等により形成したビニール製等の筒状体を川底あるいは堤防決壊箇所間等に張設し、その内部に水を注入して、水流を阻止する方法が開示されている。
また、最近では軽量で緊急配置に便利な吸水性高分子を用いた水土嚢が用いられている。
以下に従来の吸水性高分子を用いた水土嚢を図面を用いて説明する。
図８（ａ）は吸水前の水土嚢を配置した状態の説明図であり、図８（ｂ）は吸水後の水土嚢の状態を示す説明図である。
図８において、６０は従来の吸水性高分子を用いた水土嚢６０である。
従来の水土嚢６０は袋状に形成したカバーの中に吸水性高分子を配置したものであって、多数の水土嚢６０を危険箇所に図８（ａ）に示すように積み重ねて配置し、図８（ｂ）に示すように雨水等の吸水により内部の吸水性高分子を膨潤させて、水流の侵入を阻止させるようにしたものである。
【０００３】
【発明が解決しようとする課題】
しかしながら、上記従来の技術では以下の課題を有していた。
（１）イ号公報の水土嚢では、ビニール筒等の筒内に水を充填させるのには、消火栓やポンプ等から水を供給する必要があるため、予測困難な地域的集中豪雨の発生に際しては、これらの準備が間に合わず、水が地下室や地下街などに通じる階段や通気孔等から流れ込んで、逃げる余裕がなく地下室に閉じ込められた人が水死したり、地下街の陳列された商品などが冠水したりして甚大な損害を与えるという問題点があった。
（２）ビニール筒等の長さを長尺でかつ所定の長さに設定してあるので、地下街の通気孔の周囲や階段入り口などの小規模で予測困難な箇所に、このようなビニール筒を状況に応じて配置することは難しいという問題点があった。
（３）吸水性高分子を用いた従来の水土嚢では、外部から供給される水が吸水性高分子中にゲル化した状態で保持されているので、水土嚢を撤去する際に、水土嚢の袋を破いても排水するのに自然乾燥による方法では約１月近くもの長時間を要し、この間、交通の障害になると共に、この後処理に多大の手間と時間を要するという問題点があった。
（４）積み重ねて配置される多数の水土嚢６０の位置を規制する手段が設けられていないので、水を吸収させた時に各土嚢間に隙間を生じて、この隙間から水漏れして防水機能を十分に発揮できない場合があるという問題点があった。
【０００４】
本発明は上記従来の課題を解決するもので、バリケードとして使用するための土等を確保することが容易でない都市部等においても、冠水の危険箇所に水漏れすることなく確実に設置することができると共に、撤去を短時間で容易に行うことのできる吸水性高分子を用いた水土嚢を提供することを目的とする。
【０００５】
【課題を解決するための手段】
上記目的を達成するために本発明は以下の構成を有している。
請求項１に記載の吸水性高分子を用いた水土嚢は、全体を覆う透水性カバーと、前記透水性カバーの内部に保持された吸水性高分子を有する吸水体と、前記吸水体に隣接して配置され、前記吸水性高分子にゲル化状態で固定された水を解放させるゲル分解促進剤を内蔵し非透水性被膜で覆われた袋体と、前記袋体の非透水性被膜を破断させて、内部のゲル分解促進剤を前記透水性カバー内の前記吸水体に放出させる袋体破断機構とを備えて構成されている。
これによって以下の作用が得られる。
（ａ）水土嚢が、透水性カバーの中に吸水性高分子を有する吸水体を内蔵しているので、都市部等においても冠水等の危険箇所に設置するだけで、吸水性高分子が水を吸収してゲル化し、これらの水によって膨潤した水土嚢同士でバリヤーを形成し、水漏れすることなく迅速かつ確実に地下街等への水の浸入を阻止することができる。これにより、突然の集中豪雨に迅速に対応することができ、市民の安全を確保し、冠水による損害を未然に防止することができる。
（ｂ）袋体破断機構を有しているので水土嚢の撤去時には、袋体内に仕込んだゲル分解促進剤を吸水体に放出させ、ゲル化した状態の吸収性高分子中の水を短時間で排出させることができる。これによって、水土嚢を容易に取り扱うことができ、撤去作業を効率的に行うことができる。
（ｃ）水土嚢が使用前後で折り畳み可能になって、コンパクトにまとめられ、狭いスペースでも容易に収納しておくことができる。これによって、地価の高い都市部でも集中豪雨に対する備えを安価に行うことができる。
（ｄ）予め豪雨等が予測される場合には、吸水させる前の水土嚢を危険箇所の周囲に設置しておくだけでよいので、軽量の水土嚢を小人数で迅速に配置することができる。
【０００６】
透水性カバーは、それ自体が透水性である不織布や織布等の他に、ビニール等の非透水性シートに多数の小孔を設けて通水できるようにしたもの等を適用することができる。不織布としては、スパンボンド法、水流交絡法等により得られるポリプロピレン、ポリエステル、ポリオレフィン、ポリビニルアルコール、アクリル、ポリアミド等の繊維からなるものが使用できる。織布としては、セルロース繊維、タンパク繊維等の天然繊維を用いたものの他に、ビスコース法レーヨン等の再生繊維、酢酸セルロース繊維等の半合成繊維、ポリアミド、ポリエステル、アクリル等の合成繊維を素材としたものを用いることができる。また、これらの材料として、ＰＥＴボトルを回収して再生したリサイクル品を用いたり、トウモロコシを原料として得られるポリ乳酸等を含む生分解性プラスチックを適用したりして、水土嚢を保管、撤去する際の環境にも配慮したものとすることができる。
吸水性高分子が、カルボキシル基、水酸基、エーテル基、アミド基等の親水性の官能基を有する高分子であり、純水の場合、高分子の自重の数百倍から千倍近くを急速に吸収して、ゲル化固定する作用を有するものであり、澱粉にアクリル酸塩をグラフト重合させた澱粉系、カルボキシセルロースにアクリル酸塩をグラフト重合させたセルロース系、アクリル酸・ビニルアルコール共重合体、アクリル酸重合体、アクリル酸・アクリルアミド重合体、ポリエチレンオキサイド変性物等の合成系のものが適用できる。なお、この吸水性高分子の使用形態としては顆粒状、繊維状、ペレット状のものが含まれる。
ゲル分解促進剤は、塩化カルシウム、塩化マグネシウム、塩化ナトリウム、水酸化ナトリウム等の金属塩や、くえん酸、硫酸アンモニウム等の電離してイオンを放出することのできる電解質が用いられ、これによって、必要な時期に吸水性高分子のゲル化状態を破壊して、水を放出させることができる。なお、ゲル分解促進剤は、微粉末状、粉粒体状、顆粒状等の形態のものを使用できる。
【０００７】
袋体を構成する非透水性被膜の素材には、一般の合成ゴム、合成樹脂等を用いることができるが、これにスチレン系、オレフィン系、エステル系、ウレタン系、アミド系、ふっ素系、塩化ビニル系等の熱可塑性エラストマーを配合して用いることもできる。これによって、被膜に弾力性を付加することができると共に、熱可塑性樹脂用の成形機を用いて、容易に成形することも可能になる。
なお、非透水性被膜に繊維質のものを強化材として分散させて用いた場合には、その繊維質の配列方向を特定方向に配向させて袋体を構成しておき、この特定に方向に沿って袋体が裂け易いようにしておくこともできる。
また、非透水性被膜としてＰＢ、ＰＰ等の合成樹脂製のフィルム等の薄いシートを用いた場合は、破断方向に一軸延伸したシートを用いると破断方向に固定された紐状の糸状体を引っ張るだけで容易に袋体を破断できる。
袋体破断機構には、別に用意した先端の尖ったピック等で透水性シートの上から内部の袋体を突き刺す形式のものや、袋体にステンレスワイヤや塩化ビニール製やナイロン製の紐等の糸状体を取り付けておき、この糸状体の他端を引っ張って袋体を引き裂いたり、剥がしたりする形式のもの、あるいは袋体に貼り付けた状態の金属線に電流を流して、金属線をジュール熱で発熱させ、熱溶解性の袋体を溶断させるようなものが使用できる。
【０００８】
請求項２に記載の吸水性高分子を用いた水土嚢は、請求項１において、前記袋体破断機構が、前記非透水性被膜の所定箇所に一端を固定され、他端が前記非透水性カバーに設けられた小孔から外部に引き出されて配置される糸状体を有して構成されている。
これによって、請求項１の作用の他、以下の作用が得られる。
（ａ）水土嚢から引き出された状態の糸状体を引くだけで、透水性カバー内の袋体を確実に破断させることができ、必要な時期に吸水性高分子のゲル化状態を破壊して、保持した水を放出させ、水土嚢の使用後の処理を迅速に、かつ放水した水土嚢の重量が著しく軽減化するので、危険状態を脱した後の作業を容易に行うことができるようになる。
（ｂ）水土嚢の透水性シートには糸状体を引き出すための小孔が設けられているので、小孔の位置を透水性カバーの所定箇所に設定して、迅速に糸状体をたぐり寄せることができ、水土嚢使用後の脱水、撤去作業を誰でも効率的に行うことができる。
糸状体としては、ステンレス線、銅線、ニクロム線等からなる金属線ワイヤ、合成樹脂繊維等からなる紐やつり糸等が適用できる。
なお、袋体の小孔より引き出される糸状体の端部を小孔周囲の固定部や、小孔を塞ぐ蓋体等に結合させて構成した引き抜き防止手段を設け、不注意な取り扱いや、流通時等での移動の際に糸状体が誤って引き抜かれるのを防止するようにしておくこともできる。
【０００９】
請求項３に記載の吸水性高分子を用いた水土嚢は、請求項１又は２において、前記ゲル分解促進剤が塩化カルシウム又は塩化マグネシウム等の電解質成分であるように構成されている。
これによって、請求項１又は２の作用の他、以下の作用が得られる。
（ａ）比較的安価な電解質を用いて、吸水性高分子のゲル化状態を効果的に解放して、水土嚢を短時間に容易に撤去することができ、各部を回収して再生したり、廃棄したりする際の利便性を向上させることができる。
【００１０】
請求項４に記載の吸水性高分子を用いた水土嚢、請求項１乃至３のいずれか１項において、前記吸水体が、不織布、織布等の繊維質シートに前記吸水性高分子を担持させ、前記繊維シートを複数積層させて形成されて構成されている。
これによって、請求項１乃至３のいずれか１項の作用の他、以下の作用が得られる。
（ａ）吸水性高分子を担持させた繊維シートを積層させて吸水体が形成されているので、水を吸収させることによる膨潤方向を積層させる厚み方向に限定させることができ、水土嚢を積み上げる際の安定性を高めることができ、非常時の際の作業効率を向上させることができる。
（ｂ）吸水させた水土嚢に形のばらつきが少なくなるので、積み重ねられた水土嚢間の隙間を少なくでき防水性を高めることができる。
（ｃ）繊維シートの素材自体を吸水性高分子からなる繊維で構成することもできるので、水土嚢１個当たりに吸収できる水の容量を増加させ、防水効果の高い水土嚢とすることができる。
（ｄ）繊維シートを縫着により積層させて用いる場合には、縫着に用いる糸で膨潤した吸水体を保持させることができるので、水土嚢の形状を安定に維持させることができ、水土嚢間の隙間を少なくして水漏れを有効に防止できる。
【００１１】
請求項５に記載の吸水性高分子を用いた水土嚢は、請求項１乃至４のいずれか１項において、前記透水性カバーがＰＥＴボトル等を回収して再生された再生樹脂又は生分解性高分子を素材として形成されて構成されている。
これによって、請求項１乃至４のいずれか１項の作用の他、以下の作用が得られる。
（ａ）透水性カバーが再生樹脂又は生分解性高分子を素材としているので、省資源性に優れ、緊急時のみならず、全地球規模の環境問題にも配慮したものとすることができる。
（ｂ）特に再生樹脂を用いた場合には、資源の有効利用を図ることができる。
（ｃ）生分解性高分子を用いた場合には、水土嚢の使用後に、土中などにそのまま廃棄することもできるのでその後処理が容易になると共に、環境汚染などの恐れを回避できる。
ここで、再生樹脂としては、家庭等で発生する使用済みのＰＥＴボトルなどのプラスチック容器やポリアミド、ポリオレフィン等のオフスペック等の廃樹脂を再生した樹脂であり、これを素材として、繊維状にしたもの等が透水性カバーとして用いられる。
生分解性高分子は、自然界の微生物によって分解される高分子である。生分解性高分子には、微生物により発酵合成される３−ヒドロキシブチレートを主成分とするポリエステルや、ペプチド結合、多糖のエーテル結合などを有した合成高分子などが該当する。
【００１２】
請求項６に記載の吸水性高分子を用いた水土嚢は、請求項１乃至５のいずれか１項において、前記透水性カバーの周縁部の所定箇所に、紐状体又は固定部材を通すための係合孔が設けられて構成されている。
これによって、請求項１乃至５のいずれか１項の作用の他、以下の作用が得られる。
（ａ）各水土嚢には紐状体又は固定部材を係止するための係合孔が設けられているので、紐状体や固定部材を用いて積み重ねて配置される多数の水土嚢の位置を規制して、非常時においても多数の土嚢を迅速かつ安定に配列することができる。
（ｂ）係合孔に固定部材を通して各水土嚢を規則的に配列することにより、吸水して膨潤した水土嚢間の隙間が生じ難くなり隙間からの水漏れを防止することができる。
【００１３】
請求項７に記載の吸水性高分子を用いた水土嚢は、請求項６において、前記係合孔に、紐状体の端部が縫製や接着又は結着手段により取り付けられて構成されている。
これによって、請求項５の作用の他、以下の作用が得られる。
（ａ）各水土嚢の透水性カバーには隣接する同士を互いに連結するための紐状体が設けられているので、特別な道具等を用いることなく紐状体同士を結び合わせて、積み重ねて配置される多数の水土嚢の位置を規制して、非常時においても多数の土嚢を迅速かつ安定に配列することができる。
（ｂ）多数配置される各水土嚢を紐状体を用いて規則的に配列することができるので、吸水して膨潤した水土嚢間の隙間が生じ難くなり隙間からの水漏れをさらに有効に防止することができる。
（ｃ）紐状体同士を水平方向のみならず上下方向にも連結して水土嚢全体を有機的に連結して大量の水流などで流されるのを効果的に防止できる。
（ｄ）災害の復旧時には結ばれた紐状体同士をとき解くだけでよく特別な道具を用いることなく容易に分解して撤去でき、交通の障害などによる影響を最小限度に留めることができる。
（ｅ）紐状体の先部又は全体を平たく形成して、この表裏面に面ファスナーの雄部又は雌部を装着して、紐状体同士を互いに結び合わせることなくワンタッチで水土嚢を連結して、緊急時における作業性をさらに高めることもできる。
ここで紐状体は、５〜４０ｃｍ程度の長さのナイロンやテトロン等の合成繊維や、麻等の天然繊維等からなる紐状物である。この紐状物の端部を透水性カバーに縫い合わせたり、接着したり、あるいは、透水性カバーに形成された所定の係合孔に紐状物を通して結着させることにより取り付けることができる。
なお、紐状体は非常時において容易に目視できるように透水性カバーとは異なる色の例えば蛍光色や黄色と黒色等のゼブラ模様等にしておくことが望ましい。これにより暗がり等での水土嚢の積み上げ作業を迅速かつ適正に行うことができる。
【００１４】
請求項８に記載の吸水性高分子を用いた水土嚢は、請求項１乃至７のいずれか１項において、前記袋体及び前記吸水体の対が前記透水性カバー内に複数互いに所定の間隔を有して配置され、又は前記袋体及び前記吸水体の対が収納された前記透水性カバーが連接部を介して２乃至複数連設されている。
これによって、請求項１乃至７のいずれか１項の作用の他、以下の作用が得られる。
（ａ）透水性カバーを介して複数の対となる袋体と吸水体とが相互に所定の間隔を有して連結されて配置されるので、広い面積にわたって、膨潤した吸水体を有する水土嚢を所定位置に維持させ、積み重ねて配置される多数の水土嚢を型崩れさせることなく安定に配列させることができる。
（ｂ）複数の吸水体と袋体の対が連結部を介して連結された状態で保持できるので、これらが散らばることがなく、また、これらの水土嚢を折り畳んだり、巻き取ることもでき、平時における水土嚢の収納を簡単にすることができる。
（ｃ）吸水により膨潤した吸水体によって、隣合う吸水体の周縁部同士が互いに重なり合って密着し、水漏れに対する抵抗性を高めることができる。
【００１５】
請求項９に記載の吸水性高分子を用いた水土嚢は、請求項１乃至８のいずれか１項において、前記吸水性高分子が、澱粉にアクリル酸塩をグラフト重合させた澱粉系、カルボキシセルロースにアクリル酸塩をグラフト重合させたセルロース系、アクリル酸・ビニルアルコール共重合体、アクリル酸重合体、アクリル酸・アクリルアミド重合体、ポリエチレンオキサイド変性物等の合成系の高分子のいずれか１又はこれらの組み合わせからなるように構成されている。
これによって、請求項１乃至８のいずれか１項の作用の他、以下の作用が得られる。
（ａ）これらの材料の中から必要とする強度、価格にマッチした材料を適宜選択して、安価に水土嚢を製造することができる。
（ｂ）澱粉として、グルコマンナン等の食物成分を用いることもできるので、吸水性に優れ、人体に無害でしかも生物分解可能なものとして、環境を破壊する恐れのない材料で水土嚢を構成することができる。
【００１６】
【発明の実施の形態】
以下、本発明の実施の形態につき図面を用いて説明する。
（実施の形態１）
図１は実施の形態１の吸水性高分子を用いた水土嚢の平面図であり、図２は同水土嚢の吸水前の状態を示す側面図であり、図３は同水土嚢の吸水後の状態を示す側面図である。
図１〜図３において、１０は集中降雨などに際して浸水を阻止するために危険箇所に配置される実施の形態１の吸水性高分子を用いた水土嚢、１１は全体を覆うための透水性カバー、１２は透水性カバー１１の内部に配置され吸水性高分子を有した吸水体、１３は吸水体１２に隣接して配置され、ゲル分解促進剤を内蔵して非透水性被膜で覆われた袋体、１４は袋体１３の非透水性被膜に一端が取付けられ、内部のゲル分解促進剤を透水性カバー１１内の吸水体１２に放出させるための袋体破断機構を構成するステンレスワイヤからなる糸状体、１５は糸状体１４の他端を水土嚢の外部に引き出すために開けられた小孔、１６は透水性カバーの周囲の側端部に設けられた複数の水土嚢１０同士を必要に応じて連結し、配列するための紐状体や固定部材等を挿入するための係合孔である。
透水性カバー１１は、ポリエステル等の合成繊維を素材とする織布から縫製され、縦横の長さがそれぞれ２００〜５００ｍｍ（好ましくは４５０ｍｍ）、５５０〜７００ｍｍ（好ましくは６００ｍｍ）で、厚みが３〜１０ｍｍ（好ましくは５ｍｍ）の矩形状であり、その吸水時には、厚みが約２０〜５０倍程度に膨張してもよいようになっている。袋状に形成される透水性シート１１は、例えば２枚の布地を重ねて縫製又は接着剤を用いて形成することができる。ここで使用する接着剤には、合成ゴム系接着剤等の他に、熱可塑性樹脂を主成分とするホットメルト型接着剤、エポキシ系接着剤や、シアノアクリレート系接着剤等を用いることも可能である。また、透水性カバー１１の側端部の所定箇所を穿孔して使用するか、鳩目等で補強した係合孔１６を形成し、複数の水土嚢１０を紐状体等を介して連結できるようにしている。
【００１７】
吸水体１２は、吸水前で厚みが約３〜１０ｍｍであって、吸水性高分子である白色粉末状の澱粉アクリル酸グラフト重合体部分ナトリウム塩を、合成樹脂からなるシート体に散布し、これらのシート体を２〜５枚程度積層させてエンボスカレンダーなどで圧着して形成されている。この澱粉アクリル酸グラフト重合体部分ナトリウム塩は自重の約１０００倍の水を吸収してゲルを形成し、一旦、吸収した水は多少の圧力を加えても殆ど放出しないなど、吸水性と保水性に優れた性質を有している。
袋体１３は、ポリエチレンフィルム等の非透水性被膜からなり、その内部に前記吸水性高分子の重量に対して約１／４〜３／４の重量のゲル分解促進剤となる塩化カルシウムの乾燥粉末が入れられている。非透水性被膜には図示するように太さが０．０５〜０．２ｍｍ程度のステンレスワイヤ１４の一端が取付けられ、小孔１５から引き出された他端側を引くことにより、袋体１３を破断させ、内部のゲル分解促進剤を周囲に放出させることができるようになっている。
なお、袋体１３をそれぞれ種類の異なる２枚の非透水性被膜の周縁部を上下に接着剤を介して接着して構成することもできる。この場合は、ステンレスワイヤ１４等の糸状体を介して上側の非透水性被膜の部分を引っ張った時に、上側と下側の非透水性被膜の接着面から剥がれ易くなり、袋体を確実かつ、容易に破断できる。
【００１８】
以上のように構成された実施の形態１の吸水性高分子を用いた水土嚢１０について、以下その使用方法を説明する。
まず、水位の上昇が予想される危険箇所に水土嚢１０を図８に示すように配置する。この際、予め各水土嚢１０間を各係合孔１６に紐状体等を介して連結しておくと、連結された両端部側の水土嚢を左右に引っ張って配列するだけで、各水土嚢を適正に配置でき、非常時でも迅速に作業を行うことができる。
こうして、水を透水性シート１１で覆われた水土嚢１０に直接供給したり、雨水が水土嚢１０に侵入して、吸水性高分子中に吸収されて吸水体１２が膨潤して、多数の水土嚢が厚み方向に上昇して、図８に示すように水に対するバリヤーが形成され、地下施設等への水の浸入を効果的に防止することができる。
周囲の水位が下がって危険状態を脱した時には、各水土嚢１０に取り付けられたステンレスワイヤ１４の端部を引くことにより内部の袋体を破るようにする。
これによって、ゲル分解促進剤である塩化カルシウムが水土嚢１０内の水に溶解して、ゲル化された吸水性高分子中の水が解放され、放置した状態でも約半日〜１日程度の短時間で、水土嚢１０内の保有水を流し出すことができるので、積み上げられた水土嚢１０を簡単に撤去することができる。
【００１９】
実施の形態１の吸水性高分子を用いた水土嚢１０は以上のように構成されているので、以下の作用を有する。
（ａ）水土嚢１０が、透水性カバー１１の中に吸水性高分子を有する吸水体を内蔵しているので、冠水等の危険箇所に設置するだけで、吸水性高分子が水を吸収してゲル化して、膨潤した水土嚢１０同士でバリヤーを形成し、水漏れすることなく迅速かつ確実に地下街等への水の浸入を阻止することができる。
（ｂ）袋体破断機構を有しているので水土嚢１０の撤去時には、袋体１３内に仕込んだゲル分解促進剤を吸水体１２に放出させ、ゲル化した状態の吸収性高分子中の水を短時間で排出させることができる。これによって、水土嚢１０を容易に取り扱うことができ、撤去作業を効率的に行うことができる。
（ｃ）水土嚢１０から引き出された状態の糸状体１４を引くだけで、透水性カバー内の袋体１３を確実に破断させることができ、必要な時期に吸水性高分子のゲル化状態を壊して、保持した水を放出させ、水土嚢１０の使用後の処理を容易に行うことができるようになる。
（ｄ）小孔１５の位置を透水性カバー１１の所定箇所に設定して、迅速に糸状体１４をたぐり寄せて、水土嚢使用後の脱水作業を効率的に行うことができる。
（ｅ）吸水性高分子を担持させた繊維シートを積層させて吸水体１２が形成されているので、水を吸収させることによる膨潤方向を積層させる厚み方向に限定させることができ、水土嚢１０を積み上げる際の安定性を高めることができ、非常時の際の作業効率を向上させることができる。
（ｆ）各水土嚢１０には紐状体又は固定部材を係止するための係合孔１６が設けられているので、紐状体や固定部材を用いて積み重ねて配置される多数の水土嚢１０の位置を連結、規制して、多数の水土嚢１０を迅速かつ安定に配列することができる。
【００２０】
（実施の形態２）
図４は実施の形態２の吸水性高分子を用いた水土嚢の吸水後の状態を示す側面図である。
図４において、２０は実施の形態２の吸水性高分子を用いた水土嚢、２１は先端が鋭利に形成された袋体破断機構を構成するピックである。なお、前記実施の形態１と同様の機能を有するものについては、同一の符号を付してその説明を省略する。
本実施の形態２においては、ピック２１を吸水して膨潤状態にある水土嚢２０を突き刺して、中のゲル分解促進剤の入った袋体１３を破断するようにしている。これによって、袋体１３に周囲の水が浸入し、内部のゲル分解促進剤が周囲に放出されて、ゲル化状態にある吸水性高分子に含まれる水を流し出すことができる。
【００２１】
実施の形態２の吸水性高分子を用いた水土嚢２０は以上のように構成されているので、以下の作用を有する。
（ａ）水土嚢２０が、袋体破断機構としてピック２１を有するので、ピック２１を非透水性カバー１１の上から突き刺すだけで、容易に中の袋体を破断することができ、大量の水土嚢を使用した後の処理を迅速に行うことができる。
（ｂ）水土嚢２０が幾層にも積み重ねられることにより、袋体１３には周囲から圧力が付加されており、ピック２１の先端で突くことにより袋体１３を破裂させ効果的にゲル分解促進剤あるいはその水溶液を水土嚢２０の内部に分散、浸透させることができる。
【００２２】
（実施の形態３）
図５は実施の形態３の吸水性高分子を用いた水土嚢の吸水後の状態を示す側面図である。
図５において、３０は実施の形態３の吸水性高分子を用いた水土嚢、３１は接着剤を用いて吸水体１２に固定配置される、ゲル分解促進剤を内蔵した非透水性被膜からなる袋体、３２は袋体３１の上下面を巻き回すように配置された糸状体である。なお、前記実施の形態１と同様の機能を有するものについては、同一の符号を付してその説明を省略する。
本実施の形態３の吸水性高分子を用いた水土嚢３０は、袋体破断機構として袋体３１に巻き回された糸状体３２を有しているので、小孔１５から引き出された糸状体３２の端部を引くことにより、糸状体３２が袋体３１を巻き取るようにして、糸状体３２の折曲げ部分が袋体の側部に食い込むことで確実に切断される。これによって、ゲル分解促進剤が効果的に放出されて、ゲル化状態にある吸水性高分子に含まれる水を流し出すことができるという作用を有する。
なお、この場合、袋体３１は切断方向に一軸延伸されたＰＥ等の合成樹脂製のフィルムが用いられる。
【００２３】
（実施の形態４）
図６は実施の形態４の吸水性高分子を用いた水土嚢の吸水後の状態を示す側面図である。
図６において、４０は実施の形態４の吸水性高分子を用いた水土嚢、４１、４２は吸水性高分子を担持させた２枚の吸水体、４３は吸水体４１、４２の間に接着されて固定配置される非透水性被膜で覆われた袋体、４４は袋体４３の面に沿って貼り付けられた袋体破断機構を構成する金属線である。
本実施の形態４の吸水性高分子を用いた水土嚢４０は、袋体破断機構として袋体４３の非透水性被膜に密着固定された金属線４４を有しているので、これに電流を流してジュール熱により発熱させて袋体４３を破断させたり、あるいは機械的に金属線４４の両端のいずれかを引くことにより袋体４３を裂いて中のゲル分解促進剤を周囲に配置された吸水体４１、４２に接触させることができる。
【００２４】
（実施の形態５）
図７は実施の形態５の吸水性高分子を用いた水土嚢の平面図である。
図７において、５０は実施の形態５の吸水性高分子を用いた水土嚢、５１は全体を覆うための透水性カバー、５２は透水性カバー５１の中に設けられた袋体１３と吸水体１２の対を複数対隣接させた状態で配列するた連結部である。なお、連結部５２は上下の透水性カバーを縫製又は接着などの手段により帯状に接合させて形成されている。
なお、前記実施の形態１と同様の機能を有するものについては、同一の符号を付してその説明を省略する。
実施の形態５の吸水性高分子を用いた水土嚢５０は、袋体１３及び吸水体１２が一枚の透水性カバー５１を介して連結されているので、これらの水土嚢５０を多数積み上げて水に対するバリヤーを形成させる際に、非常時に際して特別な道具類を使用することなく隣接する水土嚢５０の集合体を安定化させると共に、吸水体間の隙間が所定範囲に規制され、確実に水漏れを防止できる。
【００２５】
（実施の形態６）
図９は実施の形態６の吸水性高分子を用いた水土嚢の平面図である。
図９において、６０ａ〜６０ｄは実施の形態６の吸水性高分子を用いた水土嚢、６１は水土嚢６０ａ〜６０ｄの透水性カバー、６２は透水性カバー６１の四隅及び辺の中間部にそれぞれ形成された係合孔６３にその端部が結着されたり、接着固定されたりする紐状体、６４は紐状体６２が結び付けられる地面に打ち付けられた杭などの固定部である。
袋状に形成される透水性カバー６１内には、澱粉系やセルロース系等の吸水性高分子を有する吸水体と、ゲル分解促進剤を内蔵し非透水性被膜で覆われた袋体と、袋体の非透水性被膜を破断させて、内部のゲル分解促進剤を透水性カバー内の吸水体に放出させる袋体破断機構とが備えられている。
透水性カバー６１は、例えばＰＥＴボトル等を回収して再生した再生樹脂やトウモロコシ等でつくられる生分解性プラスチックからなる合成繊維を素材とした織布や不織布等で縫製され、縦横の長さがそれぞれ２００〜５００ｍｍ、５５０〜７００ｍｍで、厚みが３〜１０ｍｍの矩形状であり、その吸水時には、厚みが約１０〜１５０倍程度に膨張してもよいようになっている。
紐状体６２は、例えば太さが１〜５ｍｍであるポリエステルやナイロンなどの水に濡れても強度の劣化しない合成繊維を用いることができ、この紐状体６２の端部を、略矩形状等に形成される透水性カバー６１の四隅や辺の中間部などに図９に示すように結びつけるか又は縫製や、接着などの手段で取り付けられている。このような紐状体６２は、図示するように隣接する水平方向の水土嚢６０ａ〜６０ｄを互いに連結するだけでなく、上下方向間の水土嚢同士を連結することもでき、これによって、積み上げられる多数の水土嚢同士を有機的に構成して、全体の安定性と水流に対する抵抗性を強固にすることができる。また、水土嚢６０ａ〜６０ｄ間の隙間が水流による抵抗や積層作業等で必要以上に拡がるのが規制され、これによる漏水を効果的に防止することができる。
また、紐状体６２を平たく帯状に形成して、その面に面状ファスナーなどを配置して、ワンタッチで水土嚢同士を締結できるようにしてもよい。さらに透水性カバー６１の周縁部の所定個所、例えばその四隅や辺の中間部等に係合孔６３を形成し、これに紐状体６２の端部側を結びつけて取り付け、紐状体６２の他端側の一部又は全部をループ状にしておくこともできる。この場合は、紐状体６の一部や透水性カバー６１にフックを設けて、これに他方の紐状体６２のループ状の部分を掛けることにより両者を締結することができる。また、地面などに設けられた杭などの固定部６４等に結びつけるようにしてもよい。
【００２６】
【発明の効果】
本発明の吸水性高分子を用いた水土嚢によれば、以下のような優れた効果が得られる。
【００２７】
請求項１に記載の発明によれば、これによって以下の効果が得られる。
（ａ）水土嚢が、透水性カバーの中に吸水性高分子を有する吸水体を内蔵しているので、土等を確保することが容易でない都市部においても冠水等の危険箇所に設置するだけで、吸水性高分子が水を吸収してゲル化し、これらの水によって膨潤した水土嚢同士でバリヤーを形成し、水漏れすることなく迅速かつ確実に地下街等への水の浸入を阻止することができる。これにより、突然の集中豪雨に迅速に対応することができ、市民の安全を確保し冠水による損害を未然に防止することができる。
（ｂ）袋体破断機構を有しているので水土嚢の撤去時には、袋体内に仕込んだゲル分解促進剤を吸水体に放出させ、ゲル化した状態の吸収性高分子中の水を短時間で排出させることができる。これによって、容易に水土嚢を取り扱うことができ、撤去作業を効率的に行うことができる。
（ｃ）水土嚢が使用前後で折り畳み可能になって、コンパクトにまとめられ、狭いスペースでも容易に収納しておくことができる。これによって、地価の高い都市部でも集中豪雨に対する備えを安価に行うことができる。
（ｄ）予め豪雨等が予測される場合には、吸水させる前の水土嚢を危険箇所の周囲に設置しておくだけでよいので、軽量の水土嚢を小人数で迅速に配置することができる。
【００２８】
請求項２に記載の発明によれば、これによって、請求項１の効果の他、以下の効果が得られる。
（ａ）水土嚢から引き出された状態の糸状体を引くだけで、透水性カバー内の袋体を確実に破断させることができ、必要な時期に吸水性高分子のゲル化状態を破壊して、保持した水を放出させ、水土嚢の使用後の処理を迅速に、かつ放水した水土嚢の重量が著しく軽減化するので、後処理を容易に行うことができるようになる。
（ｂ）糸状体を引き出すための小孔を有しているので、小孔の位置を透水性カバーの所定箇所に設定して、迅速に糸状体をたぐり寄せることができ、水土嚢使用後の脱水作業を誰でも効率的に行うことができる。
【００２９】
請求項３に記載の発明によれば、これによって、請求項１又は２の効果の他、以下の効果が得られる。
（ａ）比較的安価な電解質を用いて、吸水性高分子のゲル化状態を効果的に解放して、水土嚢を短時間に容易に撤去することができ、各部を回収して再生したり、廃棄する際の利便性を向上させることができる。
【００３０】
請求項４に記載の発明によれば、これによって、請求項１乃至３のいずれか１項の効果の他、以下の効果が得られる。
（ａ）吸水性高分子を担持させた繊維シートを積層させて吸水体が形成されているので、水を吸収させることによる膨潤方向を積層させる厚み方向に限定させることができ、水土嚢を積み上げる際の安定性を高めることができ、非常時における作業効率を向上させることができる。
（ｂ）吸水させた水土嚢に形のばらつきが少なくなるので、積み重ねられた水土嚢間の隙間を少なくでき防水性を高めることができる。
（ｃ）繊維シートの素材自を吸水性高分子からなる繊維で構成することもできるので、水土嚢１個当たりに吸収できる水の容量を増加させ、防水効果の高い水土嚢とすることができる。
（ｄ）繊維シートを縫着により積層させて用いる場合には、縫着に用いる糸で膨潤した吸水体を保持させることができるので、水土嚢の形状を安定に維持させることができ、水土嚢間の隙間を少なくして水漏れを有効に防止できる。
【００３１】
請求項５に記載の発明によれば、これによって、請求項１乃至４のいずれか１項の効果の他、以下の効果が得られる。
（ａ）透水性カバーが再生樹脂又は生分解性高分子を素材としているので、省資源性に優れ、緊急時のみならず、全地球規模の環境問題にも配慮したものとすることができる。
（ｂ）特に再生樹脂を用いた場合には、資源の有効利用を図ることができる。
（ｃ）生分解性高分子を用いた場合には、水土嚢の使用後に、土中などに廃棄できるのでその後処理が容易になると共に、環境汚染などの恐れがない。
【００３２】
請求項６に記載の発明によれば、これによって、請求項１乃至５のいずれか１項の効果の他、以下の効果が得られる。
（ａ）各水土嚢には紐状体又は固定部材を係止するための係合孔が設けられているので、紐状体や固定部材を用いて積み重ねて配置される多数の水土嚢の位置を規制して、非常時においても多数の土嚢を迅速かつ効果的に配列することができる。
（ｂ）係合孔に固定部材を通して各水土嚢を規則的に配列することにより、吸水して膨潤した水土嚢間の隙間が生じ難くなり隙間からの水漏れを防止することができる。
【００３３】
請求項７に記載の発明によれば、これによって、請求項６の効果の他、以下の効果が得られる。
（ａ）各水土嚢の透水性カバーには隣接する同士を互いに連結するための紐状体が設けられているので、特別な道具等を用いることなく紐状体同士を結び合わせて、積み重ねて配置される多数の水土嚢の位置を規制して、非常時においても多数の土嚢を迅速かつ安定に配列することができる。
（ｂ）多数配置される各水土嚢を紐状体を用いて規則的に配列することができるので、吸水して膨潤した水土嚢間の隙間が生じ難くなり隙間からの水漏れをさらに有効に防止することができる。
（ｃ）紐状体同士を水平方向のみならず上下方向にも連結して水土嚢全体を有機的に連結して大量の水流などで流されるのを効果的に防止できる。
（ｄ）災害の復旧時には結ばれた紐状体同士をとき解くだけでよく特別な道具を用いることなく容易に分解して撤去でき、交通の障害などによる影響を最小限度に留めることができる。
（ｅ）紐状体の先部又は全体を平たく形成して、この表裏面に面ファスナーの雄部又は雌部を装着して、紐状体同士を互いに結び合わせることなくワンタッチで水土嚢を連結して、緊急時における作業性をさらに高めることもできる。
【００３４】
請求項８に記載の発明によれば、これによって、請求項１乃至７のいずれか１項の効果の他、以下の効果が得られる。
（ａ）透水性カバーを介して複数の対となる袋体と吸水体とが相互に所定の間隔を有して連結されて配置されるので、広い面積にわたって、膨潤した吸水体を有する水土嚢を所定位置に維持させ、積み重ねて配置される多数の水土嚢を型崩れさせることなく安定に配列させることができる。
（ｂ）複数の吸水体と袋体の対が連結部を介して連結された状態で保持できるので、これらが散らばることがなく、また、これらの水土嚢を折り畳んだり、巻き取ることもでき、平時における水土嚢の収納を簡単にすることができる。
（ｃ）吸水により膨潤した吸水体によって、隣合う吸水体の周縁部同士が互いに重なり合って密着し、水漏れに対する抵抗性を高めることができる。
【００３５】
請求項９に記載の発明によれば、これによって、請求項１乃至８のいずれか１項の効果の他、以下の効果が得られる。
（ａ）多種の材料の中から必要とする強度、価格にマッチした材料を適宜選択して、安価に水土嚢を製造することができる。
（ｂ）澱粉として、グルコマンナン等の食物成分を用いることもできうるので、吸水性に優れ、人体に無害でしかも生物分解可能なものとして、環境を破壊する恐れのない材料で水土嚢を構成することができる。
【図面の簡単な説明】
【図１】実施の形態１の吸水性高分子を用いた水土嚢の平面図
【図２】同水土嚢の吸水前の状態を示す側面図
【図３】同水土嚢の吸水後の状態を示す側面図
【図４】実施の形態２の吸水性高分子を用いた水土嚢の吸水状態を示す側面図
【図５】実施の形態３の吸水性高分子を用いた水土嚢の吸水状態を示す側面図
【図６】実施の形態４の吸水性高分子を用いた水土嚢の吸水状態を示す側面図
【図７】実施の形態５の吸水性高分子を用いた水土嚢の平面図
【図８】水土嚢の使用方法の説明図である。
【図９】実施の形態６の吸水性高分子を用いた水土嚢の平面図
【符号の説明】
１０  水土嚢
１１  透水性カバー
１２  吸水体
１３  袋体
１４  ステンレスワイヤ（糸状体）
１５  小孔
１６  係合孔
２０  水土嚢
２１  ピック
３０  水土嚢
３１  袋体
３２  糸状体
４０  水土嚢
４１  吸水体
４２  吸水体
４３  袋体
４４  金属線（糸状体）
５０  水土嚢
５１  透水性カバー
５２  連結部
６０  水土嚢
６０ａ〜６０ｄ  水土嚢
６１  透水性カバー
６２  紐状体
６３  係合孔
６４  固定部
【図１】
0004261737.tif 000002
【図２】
0004261737.tif 000003
【図３】
0004261737.tif 000004
【図４】
0004261737.tif 000005
【図５】
0004261737.tif 000006
【図６】
0004261737.tif 000007
【図７】
0004261737.tif 000008
【図８】
0004261737.tif 000009
【図９】
0004261737.tif 000010